(57)【特許請求の範囲】
【請求項１】
温水、不凍液や流体熱媒や蒸気が通過する樹脂管（配管）同士を連結する配管用の温水用管継手であって、本体と本体を樹脂管に連結する連結部と配管挿入用のフランジとを樹脂で一体成形し、該連結部に樹脂管（配管）を挿入するため使用される挿入治具を引っ掛ける前記フランジの上下方向の幅を接続する樹脂管（配管）の外径及び配管（樹脂管）を外側から締め付ける止め金の外径よりも僅かに大きくしたことによって床下に設置した場合に床上に置かれた重量物から床下方向にかかる上下方向の荷重をフランジで受けて該上下方向の荷重を直接樹脂管（配管）に与えない機能を有することを特徴とする温水用管継手。
【請求項２】
前記本体には、前記フランジの上下方向の幅に合わせてリブを形成して前記フランジに加えて該リブで前記上下方向の荷重を受けて前記上下方向の荷重を直接樹脂管（配管）に与えない機能を増強したことを特徴とする請求項１記載の温水用管継手。
【請求項３】
前記樹脂は、ＰＰＳに熱可塑性エラストマーを添加した樹脂、ポリサルフォン、ポリフェニルサルフォン、ポリフタルアミド、ポリエーテルイミドのいずれか一種から構成されることを特徴とする請求項１または請求項２記載の温水用管継手。
【発明の詳細な説明】
【０００１】
【発明の属する技術分野】
本発明は、管継手に係り、特に温水、不凍液や流体熱媒や蒸気が通過する樹脂管（配管）同士を連結する配管用の温水用管継手に関する。
【０００２】
【従来の技術】
従来から、暖房器具や温水器等の配管のように、温水、不凍液、流体熱媒や蒸気が通過する樹脂管（配管）同士を連結する管継手としては、本体と本体を配管に連結する連結部を真鍮や銅等の金属から削り出しにより一体に形成、あるいは金属を削り出した連結部と別体の金属製の本体をろう付けして一体に形成したものが使用されている。図１０、図１１、図１３はこの従来の管継手８１の使用状態を示す要部の斜視図であるが、連結部８３にＰＥパイプやポリブテンパイプ等の樹脂管（配管）８９を挿入する際に、手で挿入するのは相当力が必要で非力な人間には難しいとともに強引に行うと樹脂管を破損する可能性があったので、図１２に示したような挿入治具９０を使用していた。この挿入治具９０を使用する場合、連結部８３の付け根付近に引っ掛ける箇所を設ける必要があったが、この従来の管継手８１は連結部８３を削り出しで形成していたので、材料コストや切削作業の手間を考慮して、削り出しで形成した連結部８３に図１０、図１１に示すようにＥリング８４等の別部品を取り付け、Ｅリング８４に図１２に示したような挿入治具９０を図１３に示すように引っ掛けて連結部８３にＰＥパイプ等の樹脂管８９を挿入していた。
【０００３】
【発明が解決しようとする課題】
そのため、パーツが多くなり、またＥリング８４を組み付ける必要があるので、コストが高くなるとともに作業時間がかかるという欠点があった。また、温水式床暖のパネルに埋め込む作業をする際には、Ｅリング８４が省スペース化の妨げになることから、挿入治具９０を使って管継手８１に樹脂管（配管）８９を挿入した後、Ｅリング８４を管継手から取り外す作業が必要で、問題となっていた。
さらに、Ｅリング８４を取り外し、床下にぎりぎりのスペースで設置する場合、書棚やピアノ等の重量物が長期に渡って置かれた場合、規定値以上に床がたわみ、樹脂管（配管）に直接荷重がかかることによって樹脂管をつぶし、水漏れを起こす等の問題があった。
【０００４】
本発明は上記の管継手の問題点を解決することを課題とするものであり、コストを削減できるとともに作業時間を短縮することができ、また、省スペース化を実現できるとともに床下に設置された樹脂管（配管）を重荷重から守ることができる温水用管継手を提供することを目的とする。
【０００６】
【課題を解決するための手段】
本発明は、この目的を達成するため次のような構成を採用している。
【０００７】
つまり、上記の目的を達成するため、本発明の温水用継手は、温水、不凍液や流体熱媒や蒸気が通過する樹脂管（配管）同士を連結する配管用の温水用管継手であって、本体と本体を樹脂管に連結する連結部と配管挿入用のフランジとを樹脂で一体成形し、該連結部に樹脂管（配管）を挿入するため使用される挿入治具を引っ掛ける前記フランジの上下方向の幅を接続する樹脂管（配管）の外径及び配管（樹脂管）を外側から締め付ける止め金の外径よりも僅かに大きくしたことによって床下に設置した場合に床上に置かれた重量物から床下方向にかかる上下方向の荷重をフランジで受けて該上下方向の荷重を直接樹脂管（配管）に与えない機能を有するものである。従って、従来使用していたＥリング等の別部品を使用しなくても挿入治具をフランジに引っ掛けてＰＥパイプ等の樹脂管の挿入を行うことができ、また、連結部に樹脂管（配管）を挿入するため使用される挿入治具を引っ掛ける前記フランジの上下方向の幅を樹脂管（配管）の外径及び樹脂管（配管）を外側から締め付ける止め金の外径よりも僅かに大きく形成しているので、省スペース化を実現するとともに床下に設置された樹脂管（配管）を重荷重から守ることができる。
【０００９】
本体には、前記フランジの上下方向の幅に合わせてリブを形成して前記フランジに加えて該リブで前記上下方向の荷重を受けて前記上下方向の荷重を直接樹脂管（配管）に与えない機能を増強することが望ましい。
【００１０】
前記樹脂は、高温における対薬品性及び耐衝撃性に優れたＰＰＳに熱可塑性エラストマーを添加した樹脂、ポリサルフォン、ポリフェニルサルフォン、ポリフタルアミド、ポリエーテルイミドのいずれか一種から構成しているので、温水や蒸気中に含有する塩素や酸素に対する耐性に優れ、温水中での加水分解に耐性があり、水圧による変形やウオーターハンマー現象に耐えうる優れた機械的強度及び耐衝撃性を備えた配管継手を提供することができる。
【００１１】
【発明の実施の形態】
次に本発明に係る温水用管継手の実施の形態（以下、実施例という）を図面に基づいて説明する。
【００１２】
【実施例】
図１は本発明第一実施例の温水用管継手を示す正面図であり、図２は図１の中央縦断面図であり、図３は図１の使用状態の正面図である。
【００１３】
図１、図２、図３に示したように、１は、ＰＥパイプの配管９を２方向に分岐する分岐チーズと称される温水用管継手であって、Ｙ形の本体２と、本体２の各端に形成され、配管パイプ９に連結される竹の子状の連結部３，３，３と、各連結部３，３，３の付け根に形成されたフランジ４，４，４とを備えて構成されている。
【００１４】
この温水用管継手１の本体２、連結部３，３，３、フランジ４，４，４は、例えば高温における対薬品性及び耐衝撃性に優れたＰＰＳに熱可塑性エラストマーを添加した樹脂を用いて射出成形で一体に成形されている。
【００１５】
本体２は、中空円筒管をＹ形に組み合わせて内部にＹ形の通路５を形成してなり、図３に示したように各連結部３，３，３に配管９，９，９を接続することにより流体導入部６から供給された流体を２方向に分配配流することができる。本体２の各端に形成される連結部３，３，３は、本体２に向け径が若干大きくなる形状が複数（図では４つ）連続した竹の子状であって、この形状によって段状の係止部８が形成され、この係止部８の存在により、連結部３に連結された配管パイプ等の抜け止めがなされるようになっている。但し、この係止部８だけでは抜けてくる可能性がある場合には、図３に示したように止め金２０を使用して配管パイプ９を締め付け、接続した配管パイプ９が抜けてこないようにすることが望ましい。
【００１６】
上記フランジ４は、樹脂による射出成形により、本体２と一体に成形しているので、簡単に設けることができ、従来のように、フランジ４の代わりにＥリング等の別部品を設けることがないので、部品点数を削減でき、コストを削減することができる。そして、このフランジ４に図１２に示すような挿入治具９０を引っ掛けて連結部３への配管９の挿入作業を容易に行うことができる。
【００１７】
また、フランジ１４は、図７に示すように、円の二面を切り落とした形状に形成されている。床暖房システムにおいて床下に設置する場合には、この円の二面を切り落としたフラットな部分を上下に配置して、上下方向の荷重を受ける。すなわち、フランジ１４の挿入治具９０を引っ掛ける部分と略直角方向の幅を接続する樹脂管（配管）９の外径及び樹脂管（配管）を外側から締め付ける止め金よりも僅かに大きく形成することによって、省スペースでかつ上下の荷重を直接樹脂管（配管）に与えないプロテクト機能を有することになる。
【００１８】
本発明は、上記Ｙ形の分岐チーズに限らず、様々な形状の分岐チーズに使用することができる。次に、その例について説明する。
【００１９】
図４は本発明第二実施例の温水用管継手を示す正面図であって、この温水用管継手１１は上記第一実施例がＹ形と称されているのに対しπ形と称されるもので、本体１２に連結される分岐用の連結部３，３が同方向に並設されていて、第一実施例のＹ形の温水用管継手１が異なる方向（角度）に分岐されるのに対し同方向に並列に分岐することができるものである。この温水用管継手１１の本体１２、連結部１３，１３，１３、フランジ１４，１４，１４は、第一実施例と同様に例えばＰＰＳに熱可塑性エラストマーを添加した樹脂を用いて射出成形で一体に成形されている。
【００２０】
また、フランジ１４は、図７に示すように円の二面を切り落とした形状に形成されている。床暖房システムにおいて床下に設置する場合には、この円の二面を切り落としたフラットな部分を上下に配置して、上下方向の荷重を受ける。すなわち、フランジ２４の挿入治具９０を引っ掛ける部分と略直角方向の幅を接続する樹脂管（配管）の外径及び配管を外側から締め付ける止め金よりも僅かに大きく形成することによって、省スペースでかつ上下の荷重を直接樹脂管（配管）に与えないプロテクト機能を有している。この構成に付け加えて、本体１２には、フランジ１４の上下方向の幅に合わせて四角い枠を形成するように所定の間隔でリブ１７を形成し、上下の荷重を受ける力を増強することができるようにしている。
【００２１】
本発明は、上記Ｙ形、π形に限らずＴ形と称される分岐チーズに使用することができる。また、本発明は分岐チーズのように２方向に分岐するものだけでなく、さらに多方向（例えば３方向に分岐する十文字形状）に分岐するものに使用することもできる。また、分岐するものに限らずストレートや直角に配管を接続する温水用管継手に使用することができる。以下、その例について説明する。
【００２２】
図５は、本発明第三実施例の温水用管継手を示す正面図であって、この温水用管継手２１はソケットと称されるもので本体２２がストレート形状の中空管であって、本体２２の両端にそれぞれ第一実施例と同様の連結部２３，２３が形成され、連結部２３，２３の付け根に第一実施例と同様のフランジ２４，２４が形成されている。この温水用管継手２１の本体２２、連結部２３，２３、フランジ２４，２４は、第一実施例と同様に例えばＰＰＳに熱可塑性エラストマーを添加した樹脂を用いて一体に成形されている。
【００２３】
また、フランジ２４は、図７に示すように、円の二面を切り落とした形状に形成されている。床暖房システムにおいて床下に設置する場合には、この円の二面を切り落としたフラットな部分を上下に配置して、上下方向の荷重を受ける。図９は、この第三実施例の温水用管継手２１を用いて床下３０に配管９を設置した状態を示す断面図であるが、フランジ２４の幅を配管９の外径及び配管９を締め付ける止め金２０よりも僅かに大きく形成しているので、省スペース化を実現するとともに床下３０に設置された配管９を重荷重から守ることができる。
【００２４】
図６は、本発明第四実施例の温水用管継手を示す正面図であって、この温水用管継手３１はエルボと称されるもので本体３２が直角に曲がった形状の中空管であって、本体３２の両端にそれぞれ第一実施例と同様の連結部３３，３３が形成され、連結部３３，３３の付け根にフランジ３４，３４が形成されている。この温水用管継手３１の本体３２、連結部３３，３３、フランジ３４，３４は、第一実施例と同様に例えばＰＰＳに熱可塑性エラストマーを添加した樹脂を用いて一体に成形されている。
【００２５】
また、フランジ３４は、図７に示すように円の二面を切り落とした形状に形成されている。床暖房システムにおいて床下に設置する場合には、この円の二面を切り落としたフラットな部分を上下に配置して、上下方向の荷重を受ける。
【００２６】
また、第二実施例と同様に本体３２には、フランジ３４の上下方向の幅に合わせて四角い枠を形成するように所定の間隔でリブ３７を形成し、上下の荷重を受ける力を増強することができるようにしている。なお、この増強用のリブを、第一実施例と第三実施例には、設けていないが、第一実施例の本体１２に設けても良いし、第三実施例でフランジ２４とフランジ２４の間隔が長くなる場合には本体２２に設けても良い。
【００２７】
図７、図８は上記各実施例のフランジ４、１４、２４、３４の形状の一例を示す斜視図である。図７に示すようにフランジ４，１４，２４，３４の形状は省スペース性を考慮して円の二面を切り落とした形状が望ましいが、この形状に限定されず、図示しないが楕円形状でも長方形でも、円の一面を切り落とした形状でも良い。また、省スペース化が必要でない場合には、図８に示したように円形状であっても良いし、図示しないが、六角形等の多角形状であっても良い。
【００２８】
上記各実施例において、本体２，１２，２２，３２に連結される連結部３，１３，２３，３３は同径のものを例示したが、同径に限らず異形であっても良い。
【００２９】
また、上記各実施例の温水用管継手を成形する樹脂としては、高温における対薬品性及び耐衝撃性に優れたＰＰＳに熱可塑性エラストマーを添加した樹脂を例示したが、この樹脂に限られるわけではなく、高温における対薬品性及び耐衝撃性に優れた樹脂であれば良く、例えば、ポリサルフォン、ポリフェニルサルフォン、ポリフタルアミド、ポリエーテルイミドのいずれか一種から構成することにより、温水や蒸気中に含有する塩素や酸素に対する耐性に優れ、温水中での加水分解に耐性があり、水圧による変形やウオーターハンマー現象に耐えうる優れた機械的強度及び耐衝撃性を備えることができる。
【００３０】
また、本発明の温水用管継手は、例えば床暖房システム、温水器、温水式エアコン、温水式浴室乾燥機、温水式衣類乾燥機、温水式パネルヒーター等、様々な用途に使用することが可能である。
【００３１】
【発明の効果】
本発明は上記のように構成されているので、次に記載する効果を奏する。
【００３２】
請求項１の発明によれば、従来、フランジの代わりに使用していたＥリング等の別部品を使用することがないので、コストを削減し、作業時間を短縮することができ、また、フランジの上下方向の幅を接続する樹脂管（配管）の外径及び配管（樹脂管）を外側から締め付ける止め金の外径よりも僅かに大きくしているので、省スペース化を実現することができるとともに、床下に配置された配管を重荷重から守ることができる。
【００３４】
請求項２の発明によれば、本体には、前記フランジの上下方向の幅に合わせてリブを形成して前記フランジに加えて該リブで前記上下方向の荷重を受けて前記上下方向の荷重を直接樹脂管（配管）に与えない機能を増強したので、省スペース化を実現するとともに床下に設置された樹脂管（配管）を重荷重から守る力を増大することができる。
【００３５】
請求項３の発明によれば、温水用管継手を構成する樹脂は、高温における対薬品性及び耐衝撃性に優れた、ＰＰＳに熱可塑性エラストマーを添加した樹脂、ポリサルフォン、ポリフェニルサルフォン、ポリフタルアミド、ポリエーテルイミドのいずれか一種から構成しているので、温水や蒸気中に含有する塩素や酸素に対する耐性に優れ、温水中での加水分解に耐性があり、水圧による変形やウオーターハンマー現象に耐えうる優れた機械的強度及び耐衝撃性を備えることができる。
【図面の簡単な説明】
【図１】本発明の第一実施例を示す正面図である。
【図２】図１の縦断面図である。
【図３】図１の使用状態を示す正面図である。
【図４】本発明の第二実施例を示す正面図である。
【図５】本発明の第三実施例を示す正面図である。
【図６】本発明の第四実施例を示す正面図である。
【図７】各実施例のフランジの一例を示す斜視図である。
【図８】各実施例のフランジの別の一例を示す斜視図である。
【図９】図５の第三実施例の使用状態を示す断面図である。
【図１０】従来の管継手の使用状態を示す要部の斜視図である。
【図１１】従来の管継手の使用状態を示す要部の斜視図である。
【図１２】配管の挿入治具を示す斜視図である。
【図１３】従来の管継手の使用状態を示す要部の斜視図である。
【符号の説明】
１、１１、２１、３１    温水用管継手
２、１２、２２、３２    本体
３、１３、２３、３３    連結部
４、１４、２４、３４    フランジ
９    樹脂管（配管）
１７、３７    リブ
２０    止め金
９０    挿入治具
【図１】
0004968496.tif 000002
【図２】
0004968496.tif 000003
【図３】
0004968496.tif 000004
【図４】
0004968496.tif 000005
【図５】
0004968496.tif 000006
【図６】
0004968496.tif 000007
【図７】
0004968496.tif 000008
【図８】
0004968496.tif 000009
【図９】
0004968496.tif 000010
【図１０】
0004968496.tif 000011
【図１１】
0004968496.tif 000012
【図１２】
0004968496.tif 000013
【図１３】
0004968496.tif 000014